(57)【要約】      （修正有）【課題】衝撃又は摩擦からレンズを保護する閉位置を有する眼鏡フレームを提供する。【解決手段】眼鏡フレームは、フロントフレームと、ヒンジによってこのフロントフレームに接続された２つのテンプル４、５とを備える。ヒンジは、眼鏡フレームを着用するための、フロントフレームに対して実質的に垂直な着用位置から、眼鏡フレームを片付けるための、フロントフレームに対して平行なホーム位置までのテンプルの回動を可能にする。フロントフレームは、レンズを支持する２つのリム２、３と、場合によってはこれらのリムを接続するブリッジ１と、回転軸Ｘ−Ｘの周りでのリムの少なくとも１８０度の相互回動を可能にするようになっている少なくとも１つの枢動手段とを有する。枢動手段は、ブリッジに関して非対称でかつ偏心した領域に設けられる。回転軸は、リムの２つの中心を含むリムに対して垂直な平面に実質的に延在する。テンプルは、リムに直接ヒンジ接続される。【選択図】図１Ｂ
0003231442.tif 000002
【実用新案登録請求の範囲】
【請求項１】
フロントフレームを備えるタイプの眼鏡フレームであって、
前記フロントフレームにはヒンジによって２つのテンプル（４、５）が接続され、
前記ヒンジは、前記眼鏡を着用するための、前記フロントフレームに対して実質的に垂直な着用位置から、前記眼鏡を片付けるための、前記フロントフレームに対して実質的に平行なホーム位置までの前記テンプル（４、５）の回動を可能にし、
前記フロントフレームは、レンズを支持する２つのリム（２、３）と、場合によっては前記リムを接続するブリッジ（１）とを有し、回転軸（Ｘ−Ｘ）の周りでの前記リム（２、３）の少なくとも１８０度の相互回動を可能にするようになっている少なくとも１つの枢動手段（Ｃ）が設けられ、
前記回転軸（Ｘ−Ｘ）は、前記リム（２、３）の前記２つの中心を含みかつ前記リムに対して垂直な平面に実質的に延在し、前記テンプル（４、５）は、前記リム（２、３）に直接ヒンジ接続されることを特徴とする、眼鏡フレーム。
【請求項２】
前記フロントフレームは、前記ブリッジ（１）に関して非対称な偏心した領域において前記フレームを通って延びかつ前記フレームを２つの部品に分割する表面（Ｔ）に従って切断され、
前記２つの部品のそれぞれは、前記リム（２、３）のうちの一方の少なくとも一部を含むことを特徴とする、請求項１に記載の眼鏡フレーム。
【請求項３】
前記フレームを２つの部品に分割する前記表面（Ｔ）は、前記眼鏡の前記フロントフレームに対して実質的に垂直であり、平坦形状又は湾曲形状を有する、請求項２に記載の眼鏡フレーム。
【請求項４】
前記フレームを２つの部品に分離する前記表面（Ｔ）は、前記回転軸（Ｘ−Ｘ）を通って延び、そのような軸の両側における均等な広がりを有する部分に限って、前記回転軸（Ｘ−Ｘ）に関して対称的な形状を有する、請求項３に記載の眼鏡フレーム。
【請求項５】
前記フロントフレームは、荷重支持フレーム（６）と、前記荷重支持フレームに締結された２つのリム（２、３）とからなり、
前記リム（２、３）のうちの少なくとも一方は、前記枢動手段（Ｃ）のうちの１つ又は複数によって前記荷重支持フレーム（６）に締結されることを特徴とする、請求項１に記載の眼鏡フレーム。
【請求項６】
前記枢動手段（Ｃ）は、前記少なくとも１つのリム（２、３）の互いに反対側の位置合わせされた部分と協働する２つの枢動手段（Ｃ）を含む、請求項５に記載の眼鏡フレーム。
【請求項７】
前記枢動手段（Ｃ）は、前記少なくとも１つのリム（２、３）の内側部分と協働する単一の枢動手段（Ｃ）を含む、請求項５に記載の眼鏡フレーム。
【請求項８】
前記支持フレーム（６）は、前記リム（２、３）の上方に延びる、請求項５〜７のいずれか１項に記載の眼鏡フレーム。
【請求項９】
前記支持フレーム（６）は、前記リム（２、３）の下方に延びる、請求項５〜７のいずれか１項に記載の眼鏡フレーム。
【請求項１０】
前記支持フレーム（６）は、前記リム（２、３）を接続するブリッジからなる、請求項５〜７のいずれか１項に記載の眼鏡フレーム。
【請求項１１】
第１の着用位置における前記リム（２、３）の前記相互回動の安定停止位置を決定するようになっている位置決め手段を更に備え、
前記リム（２、３）は、通常使用位置及び第２のホーム位置において位置合わせされ、
前記リム（２、３）及び前記リム（２、３）にヒンジ接続された前記テンプル（４、５）は、前記着用位置に対して、前記軸（Ｘ−Ｘ）の周りで１８０度回動される、請求項１〜１０のいずれか１項に記載の眼鏡フレーム。
【請求項１２】
前記位置決め手段は、前記第１の着用位置と前記第２のホーム位置との間の中間位置における第３の停止位置を更に有する、請求項１１に記載の眼鏡フレーム。
【請求項１３】
前記位置決め手段は、前記回動ピンに対して垂直方向に配置される移動円筒体と、前記回動ピンの切子面部分に対するばね手段による推力とからなる、請求項１２に記載の眼鏡フレーム。
【請求項１４】
前記枢動手段は、前記２つのリム（２、３）の相互接触を維持するための場合によっては弾性の関連するピン保持手段を伴う、前記フレームに形成されたそれぞれの座部に収容される回動ピンからなる、請求項１〜１３のいずれか１項に記載の眼鏡フレーム。
【考案の詳細な説明】
【技術分野】
【０００１】
本発明は、衝撃又は摩擦からレンズを保護する閉位置を有する眼鏡フレームに関する。特に、本発明は、眼鏡が着用されておらず、ケースに入れずに支持体上で閉位置に配置されている場合のレンズの優れた保護を提供することが可能な、完全に新しい概念による眼鏡フレームに関する。
【背景技術】
【０００２】
眼鏡の日常的な使用において、眼鏡は、サングラスであっても度付き眼鏡であっても、使用条件又は環境条件に応じてしばしば掛け外しする必要があることが知られている。
【０００３】
眼鏡を外すと、眼鏡は、例えば、家具又はテーブルの上、椅子又はベッドの上の使用可能な最善の水平面に置かれることが多い。これに関して、眼鏡が閉じられ、すなわち折り畳まれたテンプルが載置面に接触する状態にしても、そうではなく、眼鏡が開かれ、リムの下縁部及びテンプル端部によって表面上に静置される状態、又はより安定するように、上下逆さにしてフロントフレームの上縁部及びテンプルの上縁部によって静置される状態にしても（いずれにしてもレンズが載置面と接触しないため損傷のリスクがない位置において）、優しくかつ正しく眼鏡を置く時間及び配慮を使用者が有することは稀である。
【０００４】
実際、眼鏡は、急いでいたり、無関心又は不注意でいたりするために無造作に置かれることがより多く、そのため、レンズが同じ載置面又は周囲の物体に対する衝突又は擦過によって損傷するリスクがしばしば生じる。
【０００５】
レンズのいかなる損傷も確実に回避するために現在利用可能な唯一の方法は、眼鏡を外した直後に、眼鏡を眼鏡ケースに戻すことである。しかしながら、ケースは常に即座に使用可能であるわけではなく、また、眼鏡は使用条件に応じて素早く続けて何回も掛け外ししなければならないことが多いので、少なくとも現代社会生活の性急な状況では、この種の作業は複雑であり、その実行にかかる時間が長すぎる。したがって、これに対して、最善の利用可能な表面上に直接置くことがより容易であることに鑑みて、より完全な保護を断念することの方がより簡単である。
【０００６】
特許文献１は、２つのリムを接続するブリッジに収容されたヒンジ手段を備える眼鏡フレームを開示している。そのようなヒンジ手段は、上記ブリッジを通る回転軸の周りでの２つのフレームリム（及びこのリムにヒンジ接続されたテンプル）の相互回動を可能にし、それにより、２つのリムのうちの一方を他方に対して回動させた後、２つのテンプルは眼鏡の互いに反対側に配されることになり、したがってレンズに対する保護を提供することができるようになっている。
【０００７】
しかしながら、この特許によって開示されている解決策は、原理の観点では興味深いものの、実際には満足に適用することができるものではない。実際、眼鏡において、２つのリムの接続ブリッジは、使用者の鼻又は鼻の少し上方に接触して配置される必要があるので、上記リムの上弧部に実質的に位置合わせされてフロントフレームの上部に配置されることがよく知られている。したがって、上記ブリッジ内に形成された回転軸の周りで一方のリムを他方のリムに対して１８０度回動させることにより、この回動が行われると２つのリムは完全に位置がずれ、これらのリムに関係するテンプルも位置がずれることになることが明白である。
【０００８】
したがって、リムの上下逆さ位置では、各テンプルは、（一方で従来の眼鏡でもそうで
あるように）そのヒンジに対して近位にあるレンズの内側部分を専ら保護するが、１８０度の回動において、上記レンズを含むリムが、ブリッジに関して上下逆さに反転されることによって、他方のリムのテンプルの末端部がとる位置に対して完全に位置がずれることにより、（この特許に記載の意図におけるように）テンプルの末端部によってそのヒンジに対して遠位にあるレンズの外側部分を保護することには成功していないので、この特許に記載の目的は達成されていない。結果として、レンズの外側部分は、上述した上下逆さ位置においてテンプルの末端部による重大な保護を受けず、したがって、当該特許に開示されている以前から存在する状況に対する改善は達成可能でない。
【０００９】
これに加えて、２つのリムの上述した１８０度反転位置において、眼鏡は、眼鏡のノーズピースの周りで回転軸に関して２つのリムの中心が完全にずれる完全分解設計をとり、したがって、関係するテンプルの末端部は、実質的に空虚な空間をとることも指摘しておかなければならない。すなわち、２つのリムが延在する平面における眼鏡の嵩は、実質的に２倍になり、眼鏡を片付ける又は扱う際の快適さの観点及び美的観点の双方から、明白なマイナスの結果をもたらす。
【先行技術文献】
【特許文献】
【００１０】
【特許文献１】米国特許第６２５７７２０号
【考案の概要】
【考案が解決しようとする課題】
【００１１】
したがって、本発明の目的は、特許文献１に開示のフレームに関して提案されている性能と同様であるが、上述した理由からこの特許に開示されている解決策によっては得られない革新的性能を提供する眼鏡フレームを提案することである。したがって、特に、閉位置の眼鏡を載置面に置く際のレンズの損傷リスクを非常に簡単かつ即座に回避することが可能なフレームが提案される。
【００１２】
本発明の別の目的は、フレームを構成する材料に関わらず、すなわち、特にプラスチック及び金属又は複合材料のフレームの場合でも、特殊な眼鏡モデルのフレームの場合でも、そのような革新的性能を享受する眼鏡フレームを提案することである。
【課題を解決するための手段】
【００１３】
これらの目的は、フロントフレームを備えるタイプの眼鏡フレームであって、このフロントフレームにはヒンジによって２つのテンプル４、５が接続され、このヒンジは、眼鏡を着用するための、フロントフレームに対して実質的に垂直な着用位置から、眼鏡を片付けるための、フロントフレームに対して実質的に平行なホーム位置までのテンプル４、５の回動を可能にし、上記フロントフレームは、レンズを支持する２つのリム２、３と、場合によってはこれらのリムを接続するブリッジ１とを有し、回転軸Ｘ−Ｘの周りでの上記リム２、３の少なくとも１８０度の相互回動を可能にするようになっている少なくとも１つのヒンジ手段Ｃが設けられ、上記回転軸Ｘ−Ｘは、上記リム２、３の２つの中心を含むリムに対して垂直な平面に実質的に延在し、また、上記テンプル４、５は、リム２、３に直接ヒンジ接続されることを特徴とする、眼鏡フレームによって達成される。このようなフレームの他の好ましい特徴は、従属請求項に記載されている。
【００１４】
本発明に係るフレームの更なる特徴及び利点は、いずれの場合も、単なる非限定的な例として与えられ添付図面に示されている本発明のいくつかの好ましい実施形態の以下の詳細な説明からより明らかとなるであろう。
【図面の簡単な説明】
【００１５】
【図１Ａ】テンプルがフロントフレーム上に折り畳まれた、本発明の第１の実施形態の第１の変形形態に係る眼鏡フレームの正面図である。
【図１Ｂ】テンプルが開位置にあるとともに、フレームの一部が他の部分に対して９０度回動された、図１Ａのフレームの図である。
【図１Ｃ】上記フレームの一部が更には原位置から１８０度回動された、図１Ｂのフレームの図である。
【図１Ｄ】テンプルが閉位置にある、図１Ｃのフレームの図である。
【図２Ａ】本発明の眼鏡フレームの第１の実施形態の第２の変形形態を示す、図１Ａと同様の図である。
【図２Ｂ】本発明の眼鏡フレームの第１の実施形態の第２の変形形態を示す、図１Ｂと同様の図である。
【図２Ｃ】本発明の眼鏡フレームの第１の実施形態の第２の変形形態を示す、図１Ｃと同様の図である。
【図２Ｄ】本発明の眼鏡フレームの第１の実施形態の第２の変形形態を示す、図１Ｄと同様の図である。
【図３Ａ】本発明の眼鏡フレームの第１の実施形態の第３の変形形態を示す、図１Ａと同様の図である。
【図３Ｂ】本発明の眼鏡フレームの第１の実施形態の第３の変形形態を示す、図１Ｂと同様の図である。
【図３Ｃ】本発明の眼鏡フレームの第１の実施形態の第３の変形形態を示す、図１Ｃと同様の図である。
【図３Ｄ】本発明の眼鏡フレームの第１の実施形態の第３の変形形態を示す、図１Ｄと同様の図である。
【図４Ａ】本発明の眼鏡フレームの第１の実施形態の第４の変形形態を示す、図１Ａと同様の図である。
【図４Ｂ】本発明の眼鏡フレームの第１の実施形態の第４の変形形態を示す、図１Ｂと同様の図である。
【図４Ｃ】本発明の眼鏡フレームの第１の実施形態の第４の変形形態を示す、図１Ｃと同様の図である。
【図４Ｄ】本発明の眼鏡フレームの第１の実施形態の第４の変形形態を示す、図１Ｄと同様の図である。
【図５Ａ】テンプルが標準開位置にある、本発明の第２の実施形態の第１の変形形態に係る眼鏡フレームの正面図である。
【図５Ｂ】フレームの一部が他の部分に対して９０度回動された、図５Ａのフレームの図である。
【図５Ｃ】上記フレームの一部が更には原位置から１８０度回動された、図５Ｂのフレームの図である。
【図５Ｄ】テンプルが閉位置にある、図５Ｃのフレームの図である。
【図６Ａ】本発明の眼鏡フレームの第２の実施形態の第２の変形形態を示す、図５Ａと同様の図である。
【図６Ｂ】本発明の眼鏡フレームの第２の実施形態の第２の変形形態を示す、図５Ｂと同様の図である。
【図６Ｃ】本発明の眼鏡フレームの第２の実施形態の第２の変形形態を示す、図５Ｃと同様の図である。
【図６Ｄ】本発明の眼鏡フレームの第２の実施形態の第２の変形形態を示す、図５Ｄと同様の図である。
【図７Ａ】本発明の眼鏡フレームの第２の実施形態の第３の変形形態を示す、図５Ａと同様の図である。
【図７Ｂ】本発明の眼鏡フレームの第２の実施形態の第３の変形形態を示す、図５Ｂと同様の図である。
【図７Ｃ】本発明の眼鏡フレームの第２の実施形態の第３の変形形態を示す、図５Ｃと同様の図である。
【図７Ｄ】本発明の眼鏡フレームの第２の実施形態の第３の変形形態を示す、図５Ｄと同様の図である。
【図８Ａ】本発明の眼鏡フレームの第２の実施形態の第４の変形形態を示す、図５Ａと同様の図である。
【図８Ｂ】本発明の眼鏡フレームの第２の実施形態の第４の変形形態を示す、図５Ｂと同様の図である。
【図８Ｃ】本発明の眼鏡フレームの第２の実施形態の第４の変形形態を示す、図５Ｃと同様の図である。
【図８Ｄ】本発明の眼鏡フレームの第２の実施形態の第４の変形形態を示す、図５Ｄと同様の図である。
【図９Ａ】本発明の眼鏡フレームの第２の実施形態の第５の変形形態を示す、図５Ａと同様の図である。
【図９Ｂ】本発明の眼鏡フレームの第２の実施形態の第５の変形形態を示す、図５Ｂと同様の図である。
【図９Ｃ】本発明の眼鏡フレームの第２の実施形態の第５の変形形態を示す、図５Ｃと同様の図である。
【図９Ｄ】本発明の眼鏡フレームの第２の実施形態の第５の変形形態を示す、図５Ｄと同様の図である。
【図１０Ａ】本発明の眼鏡フレームの第２の実施形態の第６の変形形態を示す、図５Ａと同様の図である。
【図１０Ｂ】本発明の眼鏡フレームの第２の実施形態の第６の変形形態を示す、図５Ｂと同様の図である。
【図１０Ｃ】本発明の眼鏡フレームの第２の実施形態の第６の変形形態を示す、図５Ｃと同様の図である。
【図１０Ｄ】本発明の眼鏡フレームの第２の実施形態の第６の変形形態を示す、図５Ｄと同様の図である。
【図１１Ａ】本発明の眼鏡フレームの第２の実施形態の第７の変形形態を示す、図５Ａと同様の図である。
【図１１Ｂ】本発明の眼鏡フレームの第２の実施形態の第７の変形形態を示す、図５Ｂと同様の図である。
【図１１Ｃ】本発明の眼鏡フレームの第２の実施形態の第７の変形形態を示す、図５Ｃと同様の図である。
【図１１Ｄ】本発明の眼鏡フレームの第２の実施形態の第７の変形形態を示す、図５Ｄと同様の図である。
【考案を実施するための形態】
【００１６】
図面に示されているように、本発明に係る眼鏡フレームは、着用位置にある場合、市場で現在使用されている他のフレームに似ているが、リム又はテンプルの特定の設計に限定されない。したがって、このようなフレームは、従来の眼鏡の通例の構成部品を全て備え、特に、中央でブリッジ１によって接続された２つのリム２、３からなり、これらのリムの外側部分又はエンドピースにおいて２つのそれぞれのテンプル４及び５用のヒンジが挿入されているフロントフレームを備える。
【００１７】
本発明の包括的な解決策の概念によれば、上述した従来技術の欠点を克服し、したがって２つのリムのうちのいずれか一方を他方のリムに対して１８０度回動させた場合のレンズの両側面の完全な保護という所望の目的を達成するために、上記リムの相互枢動手段Ｃはブリッジ１に形成されるのではなく、リム２、３のうちの一方の少なくとも一部にも影響を及ぼすように、ブリッジ１に関して非対称な偏心領域に形成される。より正確には、
本発明の眼鏡フレームがレンズ保護に関して最高の性能を提供するためには、上記枢動手段Ｃの位置は、関係する相互回転軸Ｘ−Ｘがリム２及び３の中心の可能な限り近くを通るように、又はすなわち、そのような軸がリム２及び３の中心を通る上記リムに対して垂直な平面に存在するようになっていなければならない。
【００１８】
上記リムが規則的な円形でない場合、リム２、３の「中心」の点は、リムの中央位置においてリムの上側末端点及び下側末端点から等距離に配置されることが意図される。実際、回転軸Ｘ−Ｘをフロントフレームのこの中央位置に配置することにより、リム３の１８０度の相互回動は、リム２に対するリム３の垂直方向の位置ずれを伴わず、これは、テンプル４及び５によるリム内に配置されたレンズの完全な保護を享受することを可能にする。同時に、この状態は、その延在平面において２つのリムが位置合わせされる（この平面は、使用状態におけるリムの標準設計を基準とする場合は実質的に垂直である）とともに、２つのリム及びそのレンズの反りが互いに反対側に向く場合、眼鏡のフロントが水平方向に関して反対の弧設計（細長いＳ字形状）をとることにより、上下逆さ位置における眼鏡の非常に小型な設計を維持することも可能にする。
【００１９】
図１〜図４に４つの異なる形状変形形態で示されている、プラスチック材料製のフレームに特に適した第１の実施形態において、本発明に係るフレームは、分離面Ｔを特徴とすることを認識することができる。この分離面は、平坦又は湾曲状とすることができ、フレームを２つの部品に分割し、リム２及びそのテンプル５をリム３及びそのテンプル４から分離する。これに対応して、フレームの上記２つの部品の接続及び相互回動を可能にするようになっている、本質的にピン及びその支持座部からなる枢動手段Ｃが設けられる。
【００２０】
上述した従来技術において教示されているものとは異なり、表面Ｔは、リム２、３のうちの一方（図面ではリム３）の少なくとも一部にも影響を及ぼすように、ブリッジ１に関して非対称な偏心位置において、リムの上述した中央位置に対応した２つのリム２及び３の相互枢動手段Ｃの設置を可能にする範囲まで眼鏡のフロントを切断する。
【００２１】
この回動可能性により、使用者が眼鏡を外して載置面等に置くことを望む場合、使用者は、自身の頭から眼鏡を外すまさにそのときに、片手で一方のリムを把持するとともに他方の手で他方のリムを把持することによって、一方のリムを軸Ｘ−Ｘの周りで他方のリムに対して１８０度回動させることができる。
【００２２】
そうすることにより、眼鏡フレームは、図１Ｃ、図２Ｃ、図３Ｃ及び図４Ｃに明確に見て取ることができる最終位置をとる。このため、眼鏡の２つのテンプル４及び５がそれらの通例の回動によって閉じられた場合、テンプル４及び５は、完全にレンズを中心にして、フロントフレーム本体の両側においてレンズに重なる。すなわち、より正確には、テンプル４は、リム３の後面及びリム２の前面に重なってこれらを保護し、テンプル５は、リム２の後面及びリム３の前面に重なってこれらを保護する。
【００２３】
この位置は、本明細書において「安全」位置として定義される。実際、使用者が眼鏡を静置し得る又は更には落とし得る平面がどのようなものであれ、レンズは常に保護され、テンプル４及び５によって載置面から或る距離を置いて維持される。その１８０度反転位置に同様に維持されるテンプル４及び５は、リム２及び３が位置合わせされていることにより、レンズに常に完全に重なる。実用試験により、眼鏡を不慮に落とした場合であっても、この安全位置に閉じられていれば、レンズの損傷が回避されることが示されている。実際、落下位置における衝撃は、フレームに影響を及ぼすだけでレンズには影響を及ぼさないので、衝撃エネルギーを吸収し、衝撃エネルギーをレンズの周縁に分散させて、したがってレンズに損傷を与えずに放散するのに、フレーム材料の一般的な弾性で十分である。
【００２４】
また、上述した実用試験において、眼鏡の静置位置が従来の静置位置に対して顕著に異なり有利であることを発見することもできた。テンプルが従来のように折り畳まれる眼鏡において、実際、眼鏡がテンプルの側部及びレンズの側部において静置される場合、静置位置は実質的に水平である。これとは対照的に、本発明に係るフレームを使用する眼鏡において、眼鏡は、静置位置では、リム縁部と最も下のテンプルの後部によって静置されるので、水平位置と垂直位置との間の中間位置において傾斜する。したがって、眼鏡は、載置面上の眼鏡のかさが減ることを特徴とする、完全に同様かつ対称的な、安定に均衡した２つの半垂直静置位置を有する。一方で、眼鏡のこれらの半垂直静置位置は、眼鏡の自由把持面を増大させるので、使用者による眼鏡の正しい把持を顕著に容易にし、他方で、このような位置は眼鏡の横滑りを容易にするので、物体が眼鏡上に不慮に当接又は落下した場合でさえも眼鏡の破壊のリスクを大幅に低減させる。図１Ａ〜図１Ｄには、本発明の眼鏡フレームの第１の実施形態の第１の変形形態が示されている。分離面Ｔは、ブリッジ１の側端に対応して配置される平面からなり、ここで、上記ブリッジはリム３に係合する。したがってこの場合、分離面は、このようなリムの一部にも影響を及ぼす。このような平面は、眼鏡のフロントフレームに対して垂直又は実質的に垂直であることが好ましい。それにより、図１Ｃ及び図１Ｄに明確に見て取ることができるように、眼鏡の２つの部品の１８０度の相互回動を完了した後、２つのリム２及び３は、これらのリムが標準使用位置においてとるのと同じように、垂直方向に関する位置合わせ状態を維持し、その結果、テンプル４及び５は、リム２及び３内に配置されたレンズの両面を最適にその中心で保護する。
【００２５】
しかしながら、分離面Ｔの平坦構造は限定的ではなく、したがって、本発明は、このような表面が任意の湾曲形状を有するフレームにまで及ぶ。ここで、唯一の限定は、このような表面が、少なくとも回転軸Ｘ−Ｘの両側における均等な広がりを有する部分に限って、回転軸Ｘ−Ｘに関して実質的に対称な形状を有し、１８０度回動された位置においても、眼鏡の２つの部品が干渉せずに合致することを可能にすることである。このような表面は、眼鏡のフロントフレームに対して実質的に垂直であることが好ましい。
【００２６】
図２Ａ〜図２Ｄに示されている本発明の第１の実施形態の第２の変形形態において、分離面Ｔは、例えば円形断面を有する円筒形状であり、図３Ａ〜図３Ｄに示されている本発明の第１の実施形態の第３の変形形態において、分離面Ｔは、混合断面を有する円筒形状、正確には、回転軸Ｘ−Ｘの近くでは矩形断面を有し、そのような軸からより遠位の領域では円断面を有する円筒形状である。そのような実施形態では、分離面Ｔは、そのような軸の両側において異なる広がりを有し、正確には、上部においてより大きい広がりを有することを認識することができる。図４Ａ〜図４Ｄに示されている本発明の第１の実施形態の第４の変形形態において、分離面Ｔは、再び平坦な表面であり、フレームは、高い位置にブリッジ１を備える。この場合、リム３は、反転位置において眼鏡の他の部分に対する形状連続性を欠く。しかしながらここでも、２つのリム２、３は、垂直方向に関して完全な位置合わせ状態を維持する。
【００２７】
したがって、眼鏡の２つの部品を分離する表面Ｔの形状は、眼鏡の一方の部品を他方の部品に対して反転させるための軸Ｘ−Ｘの中央位置と、枢動手段Ｃの挿入に十分な空間とを得るように、眼鏡フレームの形状、特に、ブリッジ１、リム２及び３、並びにテンプル４及び５の形状に応じて、任意の位置及び形状を有することができることが明白である。
【００２８】
眼鏡の２つの部品の分離面がブリッジ１の中心線に関して偏心位置に配置される、図１、図２、図３及び図４に示されている第１の実施形態の第４の変形形態において、枢動手段Ｃの設置のために、水平方向よりも垂直方向により大きな空間が利用可能になっている。これにより、本質的に既知のように、回動ピンに対して垂直方向に配置される小さな移
動円筒体と、そのようなピンの切子面部分に対するばね手段による推力とからなる、位置決め手段も含む枢動手段Ｃの設置を可能にする。それにより、円筒体が安定した均衡位置をとるピンの切子面部分の切子面の数に応じて、任意の数の停止位置を枢動手段Ｃに与えることが可能である。
【００２９】
本発明に係るフレームの製造及び使用試験において、上述した着用位置と安全位置との間に追加の停止位置を提供するように、上記回動ピンは９０度毎に停止位置を有し、使用者が本発明のフレームを安全に閉じることを容易にするとともに、その正しい方法を即座に推測可能であることが、好ましいこととして確かめられている。この結果を得るためには、上記ピンの切子面部分が正方形断面を有することで十分であることが明らかである。
【００３０】
本発明の第１の実施形態の別の特徴によれば、回動ピンとともに、このピンのその座部からの離脱を回避する更なる関連する保持手段、及び、２つのリムを互いに回動させた後、使用者が２つのリムを解放したときに、２つのリム２、３を眼鏡の標準使用位置にして相互接触させる推力を維持するための任意の弾性手段が存在する。
【００３１】
金属眼鏡に特に適した第２の実施形態において、本発明の閉じた安全位置を有する眼鏡フレームは、支持フレーム６と、支持フレーム６に締結された２つのリム２、３と、それぞれのヒンジによって２つのリム２及び３の外側部分又はエンドピースに直接関節接続された２つのテンプル４及び５とからなるフロントフレームを備える。
【００３２】
本発明の特有の特徴によれば、２つのリム２及び３のうちの少なくとも一方（図面ではリム３）は、この目的で支持フレーム６に形成された枢動手段Ｃの周りで支持フレーム６に対して、ひいては他方のリム（図面ではリム２）に対して回動自在である。上記枢動手段Ｃは、図５〜図８及び図１０に示されている実施形態におけるように、リム３の両側において位置合わせされ対向するように２つとしてもよいし、図９及び図１１に示されている実施形態におけるように、リム３の内側に配置される１つのみとしてもよい。いずれの場合も、枢動手段Ｃにより、リム２及び３は、リム２及び３を通るとともにリム２及び３の２つの中心を含むリムに対して垂直な平面に実質的に延在する軸Ｘ−Ｘの周りで、互いに対して回動することができる。テンプル４及び５はリム２及び３に直接ヒンジ接続されるので、上記リムの相互回動は上記テンプルの回動も伴う。
【００３３】
この回動可能性により、使用者は、眼鏡を外して載置面等に置くことを望む場合、自身の頭から眼鏡を外すまさにそのときに、本発明のフレームの第１の実施形態に関して既に記載した操作を繰り返し、同じプラスの効果を得ることができる。
【００３４】
前述の説明では、「支持フレーム」６という用語によって、好ましくは薄肉かつ高耐久性の構成要素、例えば、金属材料、炭素繊維又は複合材料からなる構成要素であって、長時間所望の堅固さ及び安定性を保証するフレームの荷重支持要素を構成することが可能な構成要素が意味されている。支持フレーム６は、好ましい設計又は義務的な設計を有せず、したがって、リム２、３の上方又は下方に任意の形状で延在することができるだけでなく、図９の実施形態の例に関して示したように上記リムを接続する単一のブリッジへと減縮することができる。しかしながら、本発明の保護範囲は、このような材料の使用にいかようにも限定されず、そのため、支持フレーム６は、本発明の範囲から逸脱することなく、アイウェアの分野で従来使用されている、場合によっては金属コアによって強化されたプラスチック材料で作製することもできる。
【００３５】
前述の記載では、「リム」２、３という用語によって、概ね円形又は四角形、更には規則的でない形状を有する構成要素であって、上述したように支持フレーム６に固定して又は回動式に安定して締結され、処方眼鏡又はサングラス内に安定して収まるとともにテン
プル４、５を支持するヒンジを収容するようになっている構成要素が理解される。リム２、３には、プラスチック又は金属又は複合材料のいずれであっても、任意の所望の材料を用いることができる。図１１の実施形態に示されているように、リム２、３が同じ処方レンズ又はサングラスからなる場合も、本発明の保護範囲内に等しく含まれる。この場合、それらのレンズは、眼鏡フレームのリム２、３に関して上述したものと同じ機能を果たす、すなわち、支持フレーム６に締結され、まさにその本体内に枢動手段Ｃ及びテンプル４及び５のヒンジを直接収容することが可能である。
【００３６】
上述した枢動手段Ｃの形状及び構造は、支持フレーム６及びリム２、３の構築に用いられる材料に応じて、かなりの範囲までも変更することができる。上記枢動手段Ｃは、本発明の第１の実施形態に関して記載したものと完全に同じようにして、リム３の回動の保持装置及び回動の好ましい停止点を備えることが好ましい。
【００３７】
上記説明から、本発明のフレームが、設定された目的、すなわち、フレームの構成材料及びフレームの形状に関わらず、関係するリムが１８０度反転された位置にある場合に眼鏡のレンズの両面の完全な保護を提供するという目的をいかに完全に満たすかが明らかである。
【００３８】
本発明は、本発明の単なる例示的な実施形態を構成する上記で示した特定の構成に限定されるものとみなされるべきでなく、添付の特許請求の範囲のみによって規定される本発明の保護範囲から逸脱することなく、特に、その目的に適していればいかなる構造もとることができる枢動手段Ｃの設計に関して、当業者の到達範囲内の様々な変形が可能であることが理解される。
【図１Ａ】
0003231442.tif 000003
【図１Ｂ】
0003231442.tif 000004
【図１Ｃ】
0003231442.tif 000005
【図１Ｄ】
0003231442.tif 000006
【図２Ａ】
0003231442.tif 000007
【図２Ｂ】
0003231442.tif 000008
【図２Ｃ】
0003231442.tif 000009
【図２Ｄ】
0003231442.tif 000010
【図３Ａ】
0003231442.tif 000011
【図３Ｂ】
0003231442.tif 000012
【図３Ｃ】
0003231442.tif 000013
【図３Ｄ】
0003231442.tif 000014
【図４Ａ】
0003231442.tif 000015
【図４Ｂ】
0003231442.tif 000016
【図４Ｃ】
0003231442.tif 000017
【図４Ｄ】
0003231442.tif 000018
【図５Ａ】
0003231442.tif 000019
【図５Ｂ】
0003231442.tif 000020
【図５Ｃ】
0003231442.tif 000021
【図５Ｄ】
0003231442.tif 000022
【図６Ａ】
0003231442.tif 000023
【図６Ｂ】
0003231442.tif 000024
【図６Ｃ】
0003231442.tif 000025
【図６Ｄ】
0003231442.tif 000026
【図７Ａ】
0003231442.tif 000027
【図７Ｂ】
0003231442.tif 000028
【図７Ｃ】
0003231442.tif 000029
【図７Ｄ】
0003231442.tif 000030
【図８Ａ】
0003231442.tif 000031
【図８Ｂ】
0003231442.tif 000032
【図８Ｃ】
0003231442.tif 000033
【図８Ｄ】
0003231442.tif 000034
【図９Ａ】
0003231442.tif 000035
【図９Ｂ】
0003231442.tif 000036
【図９Ｃ】
0003231442.tif 000037
【図９Ｄ】
0003231442.tif 000038
【図１０Ａ】
0003231442.tif 000039
【図１０Ｂ】
0003231442.tif 000040
【図１０Ｃ】
0003231442.tif 000041
【図１０Ｄ】
0003231442.tif 000042
【図１１Ａ】
0003231442.tif 000043
【図１１Ｂ】
0003231442.tif 000044
【図１１Ｃ】
0003231442.tif 000045
【図１１Ｄ】
0003231442.tif 000046
【手続補正書】
【提出日】令和3年2月5日(2021.2.5)
【手続補正１】
【補正対象書類名】実用新案登録請求の範囲
【補正対象項目名】全文
【補正方法】変更
【補正の内容】
【実用新案登録請求の範囲】
【請求項１】
フロントフレームを備えるタイプの眼鏡フレームであって、
前記フロントフレームにはヒンジによって２つのテンプル（４、５）が接続され、
前記ヒンジは、前記眼鏡フレームを着用するための、前記フロントフレームに対して垂
直な着用位置から、前記眼鏡フレームを片付けるための、前記フロントフレームに対して
平行なホーム位置までの前記テンプル（４、５）の回動を可能にし、
前記フロントフレームは、レンズを支持する２つのリム（２、３）と、前記リムを接続
するブリッジ（１）とを有し、回転軸（Ｘ−Ｘ）の周りでの前記リム（２、３）の少なく
とも１８０度の相互回動を可能にするようになっている少なくとも１つの枢動手段（Ｃ）
が設けられ、
前記枢動手段（Ｃ）は、前記ブリッジ（１）に関して非対称でかつ偏心した領域に設け
られ、
前記回転軸（Ｘ−Ｘ）は、前記２つのリムのうちの一方の前記リム（２、３）の中心と
他方の前記リム（３）の中心とを含みかつ前記リム（２、３）に対して垂直な平面に存在
し、
前記テンプル（４、５）は、前記リム（２、３）に直接ヒンジ接続されることを特徴と
する、
眼鏡フレーム。
【請求項２】
前記フロントフレームは、前記ブリッジ（１）に関して非対称でかつ偏心したフロント
フレーム領域に沿った分離面（Ｔ）に従って分割され、前記分離面（Ｔ）は、前記フロン
トフレームを２つの部品に分割し、
前記２つの部品のそれぞれは、前記リム（２、３）のうちの一方の少なくとも一部を含
むことを特徴とする、
請求項１に記載の眼鏡フレーム。
【請求項３】
前記フロントフレームを２つの部品に分割する前記分離面（Ｔ）は、前記眼鏡フレーム
の前記フロントフレームに対して垂直であり、平坦形状又は湾曲形状を有する、
請求項２に記載の眼鏡フレーム。
【請求項４】
前記分離面（Ｔ）は、前記回転軸（Ｘ−Ｘ）に交差しており、
前記分離面（Ｔ）は、前記回転軸（Ｘ−Ｘ）から一定寸法離れた位置までの部分が、前
記回転軸（Ｘ−Ｘ）に関して対称的な形状を有する、
請求項３に記載の眼鏡フレーム。
【請求項５】
前記フロントフレームは、荷重支持フレーム（６）と、前記荷重支持フレーム（６）に
締結された２つのリム（２、３）とからなり、
前記リム（２、３）のうちの少なくとも一方は、前記枢動手段（Ｃ）のうちの１つ又は
複数によって前記荷重支持フレーム（６）に締結されることを特徴とする、
請求項１に記載の眼鏡フレーム。
【請求項６】
前記枢動手段（Ｃ）は、前記少なくとも１つの前記リム（２、３）の互いに反対側の位
置合わせされた部分と協働する２つの枢動手段（Ｃ）を含む、
請求項５に記載の眼鏡フレーム。
【請求項７】
前記枢動手段（Ｃ）は、前記少なくとも１つの前記リム（２、３）の内側部分と協働す
る単一の枢動手段（Ｃ）を含む、
請求項５に記載の眼鏡フレーム。
【請求項８】
前記荷重支持フレーム（６）は、前記リム（２、３）の上方に延びる、
請求項５〜７のいずれか１項に記載の眼鏡フレーム。
【請求項９】
前記荷重支持フレーム（６）は、前記リム（２、３）の下方に延びる、
請求項５〜７のいずれか１項に記載の眼鏡フレーム。
【請求項１０】
前記荷重支持フレーム（６）は、前記リム（２、３）を接続するブリッジからなる、
請求項５〜７のいずれか１項に記載の眼鏡フレーム。
【請求項１１】
第１の着用位置における前記リム（２、３）の前記相互回動の安定停止位置を決定する
ようになっている位置決め手段を更に備え、
前記リム（２、３）は、通常使用位置及び第２のホーム位置において位置合わせされ、
前記リム（２、３）及び前記リム（２、３）にヒンジ接続された前記テンプル（４、５
）は、前記第１の着用位置に対して、前記回転軸（Ｘ−Ｘ）の周りで１８０度回動される
、
請求項１〜１０のいずれか１項に記載の眼鏡フレーム。
【請求項１２】
前記位置決め手段は、前記第１の着用位置と前記第２のホーム位置との間の中間位置に
おける第３の停止位置を更に有する、
請求項１１に記載の眼鏡フレーム。